(57)【要約】【課題】インクリボンのインクを熱転写することによる印字で、記録媒体の両面に印字することができるバーコードプリンタを提供することができる。【解決手段】実施形態の印字装置は、搬送機構と、第１印字機構と、第２印字機構と、を備える。前記搬送機構は、記録媒体を搬送する。前記第１印字機構は、インクリボンのインクを熱転写することにより、前記搬送機構により搬送される前記記録媒体の第１印字面に印字する。前記第２印字機構は、インクリボンのインクを熱転写することにより、前記搬送機構により搬送される前記記録媒体の前記第１印字面の反対側の第２印字面に印字する。【選択図】図２
2013052619.tif 000002
【特許請求の範囲】
【請求項１】
記録媒体を搬送する搬送機構と、
インクリボンのインクを熱転写することにより、前記搬送機構により搬送される前記記録媒体の第１印字面に印字する第１印字機構と、
インクリボンのインクを熱転写することにより、前記搬送機構により搬送される前記記録媒体の前記第１印字面の反対側の第２印字面に印字する第２印字機構と、
を備えた印字装置。
【請求項２】
前記第１印字機構および前記第２印字機構のいずれも着脱可能に保持する保持部を備え、
前記第１印字機構は、前記第２印字機構とは異なる色のインクを前記記録媒体に熱転写する請求項１に記載の印字装置。
【請求項３】
前記第１印字機構は、前記インクリボンのインクを前記記録媒体に熱転写するサーマルヘッドを有する第１ユニットと、前記第１ユニットに対して開閉自在に取り付けられ、前記サーマルヘッドに対向配置されたプラテンローラを有する第２ユニットと、を備え、
前記第２印字機構は、前記インクリボンのインクを前記記録媒体に熱転写するサーマルヘッドを有する第３ユニットと、前記第３ユニットに対して開閉可能に取り付けられ、前記サーマルヘッドに対向配置されたプラテンローラを有する第４ユニットと、を備えた請求項１または２に記載の印字装置。
【請求項４】
前記第１印字機構は、前記第１ユニットと前記第２ユニットとをヒンジ部を介して回動自在に支持することにより、前記２ユニットを前記第１ユニットに対して開閉可能に取り付け、
前記第２印字機構は、前記第３ユニットと前記第４ユニットとをヒンジ部を介して回動可能に支持することにより、前記４ユニットを前記第３ユニットに対して開閉可能に取り付けた請求項３に記載の印字装置。
【請求項５】
前記第１印字機構は、前記第１ユニットと前記第２ユニットとをガイド軸によって連結し、前記第２ユニットが前記ガイド軸に沿って移動することにより、前記第２ユニットを前記第１ユニットに対して開閉可能に取り付け、
前記第２印字機構は、前記第３ユニットと前記第４ユニットとをガイド軸によって連結し、前記第４ユニットが前記ガイド軸に沿って移動することにより、前記第４ユニットを前記第３ユニットに対して開閉可能に取り付けた請求項３に記載の印字装置。
【請求項６】
前記第１印字機構および前記第２印字機構は、前記搬送機構により搬送される前記記録媒体の幅方向への移動を規制するガイド部材を備えた請求項１から５のいずれか一に記載の印字装置。
【発明の詳細な説明】
【技術分野】
【０００１】
本発明の実施形態は、印字装置に関する。
【背景技術】
【０００２】
従来より、インクリボンのインクを熱転写することによりレシート等の記録媒体にバーコードを印字するバーコードプリンタが知られている。
【発明の概要】
【発明が解決しようとする課題】
【０００３】
しかしながら、従来のバーコードプリンタにおいては、記録媒体の片面にしか印字を行うことができない。そのため、インクリボンのインクを熱転写することによる印字で、記録媒体の両面に印字することができるバーコードプリンタの開発が求められている。
【課題を解決するための手段】
【０００４】
実施形態の印字装置は、搬送機構と、第１印字機構と、第２印字機構と、を備える。前記搬送機構は、記録媒体を搬送する。前記第１印字機構は、インクリボンのインクを熱転写することにより、前記搬送機構により搬送される前記記録媒体の第１印字面に印字する。前記第２印字機構は、インクリボンのインクを熱転写することにより、前記搬送機構により搬送される前記記録媒体の前記第１印字面の反対側の第２印字面に印字する。
【図面の簡単な説明】
【０００５】
【図１】図１は、本実施形態にかかるプリンタの外観を示す斜視図である。
【図２】図２は、本実施形態にかかるプリンタのハウジング内の内部構成を示す断面図である。
【図３】図３は、記録用紙の第１印字面に印字するインクリボンカートリッジの正面図である。
【図４】図４は、第２ユニットが第１ユニットに対して開き位置にある場合における、記録用紙の第１印字面に印字するインクリボンカートリッジの正面図である。
【図５】図５は、記録用紙の第２印字面に印字するインクリボンカートリッジの正面図である。
【図６】図６は、第４ユニットが第３ユニットに対して開き位置にある場合における、記録用紙の第２印字面に印字するインクリボンカートリッジの正面図である。
【図７】図７は、第２ユニットが第１ユニットに対して開き位置にある場合における、記録用紙の第１印字面に印字するインクリボンカートリッジの正面図である。
【図８】図８は、第４ユニットが第３ユニットに対して開き位置にある場合における、記録用紙の第２印字面に印字するインクリボンカートリッジの正面図である。
【発明を実施するための形態】
【０００６】
以下に添付図面を参照して、本実施形態にかかるプリンタの詳細を説明する。本実施形態では、プリンタ（印字装置）は、一例として、インクリボンを加熱してインクを紙等の記録媒体に熱転写することにより記録媒体に印字を行うサーマルプリンタとして構成されている。
【０００７】
図１は、本実施形態にかかるプリンタの外観を示す斜視図である。図１に示すように、本実施形態にかかるプリンタ１のハウジング２０の前面には、印字された後の記録用紙Ｍ（記録媒体）が排出される排出口３２が形成されている。ハウジング２０の前面の左側には、各種操作キー４０やＬＣＤ（Liquid  Crystal  Display）等の表示部５０などを備える制御ボックス６０が設けられている。制御ボックス６０の内部には、プリンタ１が備える各部を駆動制御する制御部（図示しない）が設けられている。カバー７０は、ハウジング２０の上面の制御ボックス６０側に設けられたヒンジ８０を中心として上方向へ回動自在に設けられている。カバー７０を上方向へ回動させることで、ユーザはハウジング２０内の内部構成へのアクセスが可能となる。
【０００８】
図２は、本実施形態にかかるプリンタのハウジング内の内部構成を示す断面図である。プリンタ１のハウジング２０内には、複数（本実施形態では４つ）のインクリボンカートリッジ２１〜２４、記録用紙保持軸２５、カッタユニット２７、およびカートリッジ保持部２８〜３１などを備えている。
【０００９】
プリンタ１のハウジング２０は、底壁２０ａおよびハウジング２０内で底壁２０ａと垂直な縦壁２０ｂとを有している。縦壁２０ｂには、用紙ロール保持軸２５、カッタユニット２７、カートリッジ保持部２８〜３１等が、縦壁２０ｂと略垂直な姿勢で取り付けられている。縦壁２０ｂの背面側にある制御ボックス６０には、上述した制御部や、インクリボンカートリッジ２１〜２４、カッタユニット２７等を駆動するモータ（図示しない）等が収容されている。
【００１０】
用紙ロール保持軸２５は、記録用紙Ｍが巻回されて構成された用紙ロール２６を、記録用紙Ｍの印字面に垂直な軸回りに回動可能に保持する。ここで、用紙ロール保持軸２５を縦壁２０ｂに回動可能に保持する構成であっても、用紙ロール保持軸２５を縦壁２０ｂに固定して記録用紙Ｍの用紙ロール２６を用紙ロール保持軸２５の回りに回転可能に保持する構成であっても良い。本実施形態では、用紙ロール保持軸２５や用紙ロール２６は、モータ等によっては駆動されず、搬送方向ＴＤの下流側に配置されたインクリボンカートリッジ２１〜２４が備えるプラテンローラ２１ｅ〜２４ｅ等の回転によって、記録用紙Ｍの用紙ロール２６が回動（従動）することにより用紙ロール２６から記録用紙Ｍが引き出される。
【００１１】
カートリッジ保持部２８〜３１は、縦壁２０ｂに対して略垂直かつ底壁２０ａに対して平行な載置面２８ａ〜３１ａを有し、インクリボンカートリッジ２１〜２４を載置面２８ａ〜３１ａ上に配置する。これにより、カートリッジ保持部２８〜３１は、インクリボンカートリッジ２１〜２４のいずれもプリンタ１に対して着脱可能に保持することができる。
【００１２】
インクリボンカートリッジ２１，２２は、インクリボン２１ａ，２２ａのインク（「黒」および「赤」など）を熱転写することにより、搬送される記録用紙Ｍの第１印字面Ｍ１に印字する第１印字機構である。本実施形態では、インクリボンカートリッジ２１，２２は、第１ユニット２１ｈ，２２ｈ（図３参照）と、第２ユニット２１ｉ，２２ｉ（図３参照）と、を備えている。そして、第１ユニット２１ｈ，２２ｈは、用紙規制機構２１ｂ，２２ｂ、供給軸２１ｃ，２２ｃ、巻取軸２１ｄ，２２ｄ、サーマルヘッド２１ｆ，２２ｆ等を備えている。一方、第２ユニット２１ｉ，２２ｉは、プラテンローラ２１ｅ，２２ｅを備えている。
【００１３】
用紙規制機構２１ｂ，２２ｂは、インクリボンカートリッジ２１，２２内に搬送された記録用紙Ｍの幅方向への移動を規制するガイド部材である。供給軸２１ｃ，２２ｃおよび巻取軸２１ｄ，２２ｄは、リボンロール２１ｊ，２２ｊを差し込んで回転駆動される軸部である。リボンロール２１ｊ，２２ｊは、略円筒形状の巻芯にインクリボン２１ａ，２２ａ等の帯状体が巻き回されて構成される。
【００１４】
供給軸２１ｃ，２２ｃには、インクリボン２１ａ，２２ａが予め巻芯に巻き回されたリボンロール２１ｊ，２２ｊが差し込まれてセットされる。また、巻取軸２１ｄ，２２ｄには、供給軸２１ｃ，２２ｃにセットされたリボンロール２１ｊ，２２ｊ側から引き出されたインクリボン２１ａ，２２ａを巻き取る巻芯が差し込まれてセットされる。インクリボン２１ａ，２２ａは、モータ等によって駆動される巻取軸２１ｄ，２２ｄの回転によって、供給軸２１ｃ，２２ｃにセットされたリボンロール２１ｊ，２２ｊ側より引き出され、巻取軸２１ｄ，２２ｄ側にセットされた巻芯に巻き取られる。
【００１５】
供給軸２１ｃ，２２ｃから引き出されて巻取軸２１ｄ，２２ｄに巻き取られる間、インクリボン２１ａ，２２ａは、記録用紙Ｍとともに、サーマルヘッド２１ｆ，２２ｆと、当該サーマルヘッド２１ｆ，２２ｆに対向配置されたプラテンローラ２１ｅ，２２ｅとの間に挟持される。サーマルヘッド２１ｆ，２２ｆとプラテンローラ２１ｅ，２２ｅとの間にインクリボン２１ａ，２２ａを挟持している際に、プリンタ１は、サーマルヘッド２１ｆ，２２ｆを加熱することで、インクリボン２１ａ，２２ａのインクを溶融あるいは昇華される。プリンタ１は、インクリボン２１ａ，２２ａのインクが溶融あるいは昇華して、記録用紙Ｍに所定のパターン（例えば、文字、数字、バーコード、図形等）を熱転写することにより、記録用紙Ｍの第１印字面Ｍ１に対する印字を行う。
【００１６】
つまり、本実施形態では、サーマルヘッド２１ｆ，２２ｆとプラテンローラ２１ｅ，２２ｅとによって、記録用紙Ｍに対してインクリボン２１ａ，２２ａにより印字を行う第１印字機構を構成する。
【００１７】
プラテンローラ２１ｅ，２２ｅ，供給軸２１ｃ，２２ｃ、巻取軸２１ｄ，２２ｄは、モータ（図示しない）等によって回転駆動される。そして、本実施形態では、プラテンローラ２１ｅ，２２ｅ，供給軸２１ｃ，２２ｃ、巻取軸２１ｄ，２２ｄ、モータ（図示しない）等が搬送機構を構成している。
【００１８】
ここで、図３および図４を用いて、第１ユニット２１ｈ，２２ｈに対する第２ユニット２１ｉ，２２ｉの取付構造について説明する。図３は、記録用紙の第１印字面に印字するインクリボンカートリッジの正面図である。図４は、第２ユニットが第１ユニットに対して開き位置にある場合における、記録用紙の第１印字面に印字するインクリボンカートリッジの正面図である。
【００１９】
第１ユニット２１ｈ，２２ｈは、図３および図４に示すように、第１ユニット２１ｈ，２２ｈと第２ユニット２１ｉ，２２ｉとの間に設けられたヒンジ２１ｇ，２２ｇを中心として、第１ユニット２１ｈ，２２ｈを上下方向ｄに回動自在に設けられている。これにより、第２ユニット２１ｉ，２２ｉは、第１ユニット２１ｈ，２２ｈに対して開閉自在に取り付けられている。
【００２０】
プリンタ１のオペレータは、図４に示すように、第１ユニット２１ｈ，２２ｈを上方向ｄに回動させて、第２ユニット２１ｉ，２２ｉを第１ユニット２１ｈ，２２ｈに対して開き位置に移動させることで、インクリボンカートリッジ２１，２２内の内部構成へのアクセスが可能となり、インクリボンカートリッジ２１，２２に対して記録用紙Ｍをセットすることができる。
【００２１】
図２に戻り、インクリボンカートリッジ２３，２４は、インクリボン２３ａ，２４ａのインク（「青」および「黄」など、インクリボンカードリッジ２１，２２とは異なる色のインク）を熱転写することにより、搬送される記録用紙Ｍの第２印字面Ｍ２に印字する第２印字機構である。なお、第２印字面Ｍ２は、第１印字面Ｍ１と反対側の印字面である。
【００２２】
本実施形態では、インクリボンカートリッジ２３，２４は、第３ユニット２３ｈ，２４ｈ（図５参照）と、第４ユニット２３ｉ，２４ｉ（図５参照）と、を備えている。そして、第３ユニット２３ｈ，２４ｈは、用紙規制機構２３ｂ，２４ｂ、供給軸２３ｃ，２４ｃ、巻取軸２３ｄ，２４ｄ、サーマルヘッド２３ｆ，２４ｆ等を備えている。一方、第４ユニット２３ｉ，２４ｉは、プラテンローラ２３ｅ，２４ｅを備えている。
【００２３】
用紙規制機構２３ｂ，２４ｂは、インクリボンカートリッジ２３，２４内に搬送された記録用紙Ｍの幅方向への移動を規制するガイド部材である。供給軸２３ｃ，２４ｃおよび巻取軸２３ｄ，２４ｄは、リボンロール２３ｊ，２４ｊを差し込んで回転駆動される軸部である。リボンロール２３ｊ，２４ｊは、略円筒形状の巻芯にインクリボン２３ａ，２４ａ等の帯状体が巻き回されて構成される。
【００２４】
供給軸２３ｃ，２４ｃには、インクリボン２３ａ，２４ａが予め巻芯に巻き回されたリボンロール２３ｊ，２４ｊが差し込まれてセットされる。また、巻取軸２３ｄ，２４ｄには、供給軸２３ｃ，２４ｃにセットされたリボンロール２３ｊ，２４ｊ側から引き出されたインクリボン２３ａ，２４ａを巻き取る巻芯が差し込まれてセットされる。インクリボン２３ａ，２４ａは、モータ等によって駆動される巻取軸２３ｄ，２４ｄの回転によって、供給軸２３ｃ，２４ｃにセットされたリボンロール２３ｊ，２４ｊ側より引き出され、巻取軸２３ｄ，２４ｄ側にセットされた巻芯に巻き取られる。
【００２５】
供給軸２３ｃ，２４ｃから引き出されて巻取軸２３ｄ，２４ｄに巻き取られる間、インクリボン２３ａ，２４ａは、記録用紙Ｍとともに、サーマルヘッド２３ｆ，２４ｆと、当該サーマルヘッド２３ｆ，２４ｆに対向配置されたプラテンローラ２３ｅ，２４ｅとの間に挟持される。サーマルヘッド２３ｆ，２４ｆとプラテンローラ２３ｅ，２４ｅとの間にインクリボン２３ａ，２４ａを挟持している際に、プリンタ１は、サーマルヘッド２３ｆ，２４ｆを加熱することで、インクリボン２３ａ，２４ａのインクを溶融あるいは昇華される。プリンタ１は、インクリボン２３ａ，２４ａのインクが溶融あるいは昇華して、記録用紙Ｍに所定のパターン（例えば、文字、数字、バーコード、図形等）を熱転写することにより、記録用紙Ｍの第２印字面Ｍ２に対する印字を行う。
【００２６】
つまり、本実施形態では、サーマルヘッド２３ｆ，２４ｆとプラテンローラ２３ｅ，２４ｅとによって、記録用紙Ｍに対してインクリボン２３ａ，２４ａにより印字を行う第２印字機構を構成する。
【００２７】
プラテンローラ２３ｅ，２４ｅ，供給軸２３ｃ，２４ｃ、巻取軸２３ｄ，２４ｄは、モータ（図示しない）等によって回転駆動される。そして、本実施形態では、プラテンローラ２３ｅ，２４ｅ，供給軸２３ｃ，２４ｃ、巻取軸２３ｄ，２４ｄ、モータ（図示しない）等が搬送機構を構成している。
【００２８】
ここで、図５および図６を用いて、第３ユニット２３ｈ，２４ｈに対する第４ユニット２３ｉ，２４ｉの取付構造について説明する。図５は、記録用紙の第２印字面に印字するインクリボンカートリッジの正面図である。図６は、第４ユニットが第３ユニットに対して開き位置にある場合における、記録用紙の第２印字面に印字するインクリボンカートリッジの正面図である。
【００２９】
第４ユニット２３ｉ，２４ｉは、図５および図６に示すように、第３ユニット２３ｈ，２４ｈと第４ユニット２３ｉ，２４ｉとの間に設けられたヒンジ２３ｇ，２４ｇを中心として、第４ユニット２３ｉ，２４ｉを上下方向ｅに回動自在に設けられている。これにより、第４ユニット２３ｉ，２４ｉは、第３ユニット２３ｈ，２４ｈに対して開閉自在に取り付けられている。
【００３０】
プリンタ１のオペレータは、図６に示すように、第４ユニット２３ｉ，２４ｉを上方向ｅに回動させて、第４ユニット２３ｉ，２４ｉを第３ユニット２３ｈ，２４ｈに対して開き位置に移動させることで、インクリボンカートリッジ２３，２４内の内部構成へのアクセスが可能となり、インクリボンカートリッジ２３，２４に対して記録用紙Ｍをセットすることができる。
【００３１】
図２に戻り、カッタユニット２７は、固定刃２７ａと当該固定刃２７ａに沿って往復動作可能な回転刃２７ｂとを備えている。カッタユニット２７は、固定刃２７ａに対して回転刃２７ｂを記録用紙Ｍの幅方向に移動させながら回転刃２７ｂを回転させることで、固定刃２７ａと回転刃２７ｂとで被切断物としての記録用紙Ｍを切断する。そして、カッタユニット２７により切断された記録用紙Ｍは、排出口３２から排出される。
【００３２】
なお、本実施形態では、プリンタ１のハウジング２０内の上側および下側にそれぞれ２つのインクリボンカートリッジを装着可能な構成することで、最大４つのインクリボンカートリッジをプリンタ１に装着可能な構成としているが、これに限定するものではない。例えば、プリンタ１をより安価かつ小型なものにする場合には、プリンタ１のハウジング２０内の上側および下側にそれぞれ１つのインクリボンカートリッジを装着可能な構成とすることで、安価かつ小型なプリンタ１を顧客に提供することができる。また、プリンタ１のハウジング２０内のスペースに余裕がある場合には、プリンタ１のハウジング２０内の上側および下側にそれぞれ３つ以上のインクリボンカートリッジを装着可能な構成とすることで、５以上のインクリボンカートリッジをプリンタ１に装着可能な構成することができる。
【００３３】
また、本実施形態では、第１印字面Ｍ１に印字するインクリボンカートリッジ２１，２２が有するインクリボン２１ａ，２２ａのインクの色（「黒」および「赤」）と、第２印字面Ｍ２に印字するインクリボンカートリッジ２３，２４が有するインクリボン２３ａ，２４ａのインクの色（「青」および「黄」）と、を異ならせているが、これに限定するものではない。例えば、第１印字面Ｍ１に印字するインクリボンカートリッジ２１，２２が有するインクリボン２１ａ，２２ａのインクの色と、第２印字面Ｍ２に印字するインクリボンカートリッジ２３，２４が有するインクリボン２３ａ，２４ａのインクの色と、を同じ色にしても良い。
【００３４】
また、本実施形態では、第１ユニット２１ｈ，２２ｈ（第３ユニット２３ｈ，２４ｈ）と第２ユニット２１ｉ，２２ｉ（第４ユニット２３ｉ，２４ｉ）との間に設けられたヒンジ２１ｇ，２２ｇ，２３ｇ，２４ｇを用いることで、第２ユニット２１ｉ，２２ｉ（第４ユニット２３ｉ，２４ｉ）を、第１ユニット２１ｈ，２２ｈ（第３ユニット２３ｈ，２４ｈ）に対して開閉自在に取り付けているが、これに限定するものではない。
【００３５】
ここで、図７および図８を用いて、第１ユニット２１ｈ，２２ｈ（第３ユニット２３ｈ，２４ｈ）と第２ユニット２１ｉ，２２ｉ（第４ユニット２３ｉ，２４ｉ）との他の取付構造について説明する。図７は、第２ユニットが第１ユニットに対して開き位置にある場合における、記録用紙の第１印字面に印字するインクリボンカートリッジの正面図である。図８は、第４ユニットが第３ユニットに対して開き位置にある場合における、記録用紙の第２印字面に印字するインクリボンカートリッジの正面図である。
【００３６】
インクリボンカートリッジ２１，２２は、図７に示すように、第１ユニット２１ｈ，２２ｈと第２ユニット２１ｉ，２２ｉとがガイド軸７２，７１によって連結されている。そして、インクリボンカートリッジ２１，２２は、ガイド軸７２，７１に沿って第１ユニット２１ｈ，２２ｈと第２ユニット２１ｉ，２２ｉとを離したり近づけたりすることにより、第２ユニット２１ｉ，２２ｉを第１ユニット２１ｈ，２２ｈに対して開閉自在に取り付けている。
【００３７】
また、インクリボンカートリッジ２３，２４は、図８に示すように、第３ユニット２３ｈ，２４ｈと第４ユニット２３ｉ，２４ｉとがガイド軸８２，８１によって連結されている。そして、インクリボンカートリッジ２３，２４は、ガイド軸８２，８１に沿って第３ユニット２３ｈ，２４ｈと第４ユニット２３ｉ，２４ｉとを離したり近づけたりすることにより、第４ユニット２３ｉ，２４ｉを第３ユニット２３ｈ，２４ｈに対して開閉自在に取り付けている。
【００３８】
このように本実施形態にかかるプリンタ１によれば、記録用紙Ｍを搬送する搬送機構と、インクリボン２１ａ，２２ａのインク（「黒」および「赤」など）を熱転写することにより、搬送される記録用紙Ｍの第１印字面Ｍ１に印字するインクリボンカートリッジ２１，２２と、インクリボン２３ａ，２４ａのインク（「青」および「黄」など、インクリボンカードリッジ２１，２２とは異なる色のインク）を熱転写することにより、搬送される記録用紙Ｍの第２印字面Ｍ２に印字するインクリボンカートリッジ２３，２４と、を備えることにより、インクリボン２１ａ，２２ａ，２３ａ，２４ａのインクを熱転写することによる印字で、記録用紙Ｍの両面に印字することができるバーコードプリンタを提供することができる。
【００３９】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４０】
１  プリンタ
２１〜２４  インクリボンカートリッジ
２１ａ〜２４ａ  インクリボン
２１ｂ〜２４ｂ  用紙規制機構
２１ｃ〜２４ｃ  供給軸
２１ｄ〜２４ｄ  巻取軸
２１ｅ〜２４ｅ  プラテンローラ
２１ｆ〜２４ｆ  サーマルヘッド
２１ｇ〜２４ｇ  ヒンジ
２１ｈ，２２ｈ  第１ユニット
２１ｉ，２２ｉ  第２ユニット
２１ｊ〜２４ｊ  リボンロール
２３ｈ，２４ｈ  第３ユニット
２３ｉ，２４ｉ  第４ユニット
２８〜３１  カートリッジ保持部
７１，７２，８１，８２  ガイド軸
Ｍ  記録用紙
Ｍ１  第１印字面
Ｍ２  第２印字面
【先行技術文献】
【特許文献】
【００４１】
【特許文献１】特開２００７−３１３８４９号公報
【図１】
2013052619.tif 000003
【図２】
2013052619.tif 000004
【図３】
2013052619.tif 000005
【図４】
2013052619.tif 000006
【図５】
2013052619.tif 000007
【図６】
2013052619.tif 000008
【図７】
2013052619.tif 000009
【図８】
2013052619.tif 000010